(57)【要約】【課題】栽培植物の収穫を極めて効率よく行なうことができ、保守点検掃除が容易である植栽ベッドおよび水耕栽培システムが望まれている。【解決手段】植栽ベッド１はＮＦＴ式水耕栽培に用いられるものであって、上面開口を有していて培養液Ｓを流す長尺樋状のベッド本体２と、栽培植物Ｑを保持する植栽孔２３を有していてベッド本体２の上面開口を蓋止する蓋部材３と、から成るものであって、ベッド本体２における上面開口の縁部に、蓋部材３が本体長手方向（矢印Ｄ）に移動自在に支持されている。また、水耕栽培システム１３は、温室と、植栽ベッド１と、温室内に設置されていて植栽ベッド１を載せる架台部３３と、培養液Ｓを貯留した液槽３４と、液槽３４の培養液Ｓを植栽ベッド１のベッド本体２の一端部に供給する給液部３５と、ベッド本体２の他端部から流出した培養液Ｓを液槽３４に戻す返液部３６と、を備えている。【選択図】図９
2017112894.tif 000002
【特許請求の範囲】
【請求項１】
上面開口を有していて培養液を流す長尺樋状のベッド本体と、
栽培植物を保持する植栽孔を有していて前記ベッド本体の上面開口を蓋止する蓋部材と、から成る水耕栽培用の植栽ベッドであって、
前記ベッド本体における上面開口の縁部に、前記蓋部材が本体長手方向移動自在に支持されていることを特徴とする植栽ベッド。
【請求項２】
前記ベッド本体の上面開口の対面する両縁部に、上下２条の突条部が本体長手方向に沿って内向きに突出して形成され、前記上下の突条部の間が、前記蓋部材を収容して本体長手方向案内自在に支持するガイド溝になっている請求項１に記載の植栽ベッド。
【請求項３】
前記蓋部材が当該移動方向に複数の板ユニットに分割され、隣り合う板ユニットがヒンジ部を介して前記移動方向に折畳み可能に連結されている請求項１または請求項２に記載の植栽ベッド。
【請求項４】
温室と、
請求項１から請求項３までのいずれか一項に記載の植栽ベッドと、
前記温室内に設置されていて前記植栽ベッドを載せる架台部と、
培養液を貯留した液槽と、
前記液槽の培養液を前記植栽ベッドのベッド本体の一端部に供給する給液部と、
前記ベッド本体の他端部から流出した培養液を前記液槽に戻す返液部と、
を備えて成ることを特徴とする水耕栽培システム。
【請求項５】
地下水を前記液槽に供給する地下水供給部と、
前記地下水供給部により汲み上げられた地下水を加熱して前記液槽に供給する地下水加熱部と、を備えて成り、
前記培養液が、前記地下水加熱部により加熱された地下水を含んで調製される請求項４に記載の水耕栽培システム。
【請求項６】
温室内の地面全体が、不透水性合成樹脂製の可撓シート体の上面にフェルト状不織体が積層されて成るマット体で蔽われている請求項４または請求項５に記載の水耕栽培システム。
【発明の詳細な説明】
【技術分野】
【０００１】
本発明は、湛水方式よりも水深の浅い薄膜水耕(ＮＦＴ:Nutrient Film Technique)方式により水耕栽培を行なう植栽ベッド、およびこれを用いた水耕栽培システムに関するものである。
【背景技術】
【０００２】
上記したＮＦＴ方式の水耕栽培は、液槽の培養液をポンプなどで汲み上げて、少量の培養液を長尺樋形の植栽ベッド内に浅く流下させ、植栽ベッドから流出した培養液を回収して循環させることにより再使用するものである。このＮＦＴ式水耕栽培によれば、使用した培養液が廃液とならず繰り返し使用されるので、環境面およびコスト面の観点からメリットがあるとされている。かかるＮＦＴ方式の水耕栽培技術は、例えば下記の特許文献１，２に開示されている。
【先行技術文献】
【特許文献】
【０００３】
【特許文献１】特開２００６−１９７８４３号公報
【特許文献２】特開２００７−８９４８９号公報
【発明の概要】
【発明が解決しようとする課題】
【０００４】
ところで、前記した従来のＮＦＴ方式に用いられる植栽ベッドにおいて、蓋部材は、ベッド本体に支持され固定されているので本体長手方向への移動はできない。そのために、栽培植物の収穫時には、成長した栽培植物を保持している植栽孔まで人が近づく必要があり、作業者自身が移動して収穫を続けなければならない。この場合、温室内は比較的狭いことが多く、作業者の移動が困難な場合も多い。そこで、作業者は、隣り合う植栽ベッド間の隙間を広げ、その広げた隙間内を移動して収穫をするようにしていた。このように植栽ベッドを動かすと、収穫後に植栽ベッドを再び元の位置に戻す作業も必要になる。すなわち、栽培植物の収穫を効率よく行なうことができず、栽培回転率が低くならざるを得なかった。また、ベッド本体からの蓋部材の取り外しは容易でなく、特に生長した多くの栽培植物を保持している場合には蓋部材の取り外しができないという不具合があり、植栽ベッド内部の保守点検掃除が困難であった。
【０００５】
本発明は、上記した従来の問題点に鑑みてなされたものであって、優れたＮＦＴ式水耕栽培を実施するにあたり、栽培植物の収穫を極めて効率よく行なうことができ、保守点検掃除が容易である植栽ベッドおよび水耕栽培システムの提供を目的とする。
【課題を解決するための手段】
【０００６】
上記目的を達成するために、本発明に係る植栽ベッドは、上面開口を有していて培養液を流す長尺樋状のベッド本体と、栽培植物を保持する植栽孔を有していてベッド本体の上面開口を蓋止する蓋部材と、から成る水耕栽培用の植栽ベッドであって、ベッド本体における上面開口の縁部に、蓋部材が本体長手方向移動自在に支持されていることを特徴とする構成にしてある。
【０００７】
また、前記構成の植栽ベッドにおいて、ベッド本体の上面開口の対面する両縁部に、上下２条の突条部が本体長手方向に沿って内向きに突出して形成され、上下の突条部の間が、蓋部材を収容して本体長手方向案内自在に支持するガイド溝になっているものである。
【０００８】
そして、前記した各構成の植栽ベッドにおいて、蓋部材が当該移動方向に複数の板ユニットに分割され、隣り合う板ユニットがヒンジ部を介して移動方向に折畳み可能に連結されているものである。
【０００９】
更に、本発明に係る水耕栽培システムは、温室と、請求項１から請求項３までのいずれか一項に記載の植栽ベッドと、温室内に設置されていて植栽ベッドを載せる架台部と、培養液を貯留した液槽と、液槽の培養液を植栽ベッドのベッド本体の一端部に供給する給液部と、ベッド本体の他端部から流出した培養液を液槽に戻す返液部と、を備えて成ることを特徴とするものである。
【００１０】
また、前記構成の水耕栽培システムにおいて、地下水を液槽に供給する地下水供給部と、地下水供給部により汲み上げられた地下水を加熱して液槽に供給する地下水加熱部と、を備えてなり、培養液が、地下水加熱部により加熱された地下水を含んで調製されるものである。
【００１１】
そして、前記した各構成の水耕栽培システムにおいて、温室内の地面全体が、不透水性合成樹脂製の可撓シート体の上面にフェルト状不織体が積層されて成るマット体で蔽われているものである。
【発明の効果】
【００１２】
本発明に係る植栽ベッドによれば、ベッド本体の上面開口の縁部に、蓋部材が本体長手方向移動自在に支持されているので、蓋部材の植栽孔に保持された栽培植物が成長したのちは、植栽ベッドの端部側に立っている作業者が蓋部材をベッド本体に対し本体長手方向に移動させることにより、その位置に居ながらにして、生長した栽培植物を順次収穫していくことができる。従って、栽培植物の収穫を極めて効率よく行なうことができ、栽培植物の栽培回転率を格段に高めることができる。そして、蓋部材を移動させて開かれた上面開口からベッド本体内の点検掃除ができ、蓋部材も上下両面の点検掃除を容易に行なえる。
【００１３】
また、ベッド本体における上面開口両縁部の上下の突条部の間がガイド溝になっているものでは、蓋部材をガイド溝に沿う方向にのみ、すなわち本体長手方向にのみ移動させることができる。加えて、栽培植物の成長により栽培植物の根部が生長しても、上側の突条部により蓋部材が抑えられるので、生長した根部によって栽培植物が押し上げられることに伴なって、蓋部材がベッド本体から浮き上がることから上面開口が開放されたり蓋部材が上方に抜脱したりするといった不具合を回避できる。
【００１４】
そして、複数の板ユニットに分割された蓋部材が折畳み可能に連結されているものでは、蓋部材の取り出しスペースとして広いスペースを取る必要がないので、狭いスペースを確保せざるを得ない温室内であっても、十分にこの蓋部材を活用でき、栽培植物の収穫を楽に行なうことができる。
【００１５】
更に、本発明に係る水耕栽培システムによれば、温室と、前記の植栽ベッドと、架台部と、液槽と、給液部と、返液部と、を備えて成るので、液槽と植栽ベッドとの間で培養液を循環式に供給、回収して、植栽ベッドの栽培植物を効率良く安価に生育させることができ、栽培植物の生長後は植栽ベッドの蓋部材を移動させることにより、作業効率よく栽培植物を収穫できる。
【００１６】
また、加熱された地下水を含む培養液が調製される水耕栽培システムでは、１年中を通して水温が１５℃程度と変わらない地下水を地下水供給部が汲み上げ、これを地下水加熱部が例えば５０℃程度に加熱し、加熱した地下水を地下水供給部が液槽に供給して、例えば肥料成分、養液および副材料などとともに混合して例えば３０℃程度の培養液を調製するので、安価な水材料と安価な熱エネルギーを用いて、栽培植物をより安価で効率良く生育させることができる。
【００１７】
そして、温室内の地面全体が不透水性で可撓性のマット体で蔽われているものでは、土から上がってくる湿気が下層の不透水性の可撓シート体で遮断されて温室内に入らないので、温室内の相対湿度の異常上昇を防止でき、高湿度雰囲気による栽培植物生育に対する悪影響を防ぐことができる。加えて、上層のフェルト状不織体は、植栽ベッドから垂れ落ちた培養液の水分を蒸発させて素早く乾かすので、雑草、虫、カビあるいは病気の発生が妨げられ、衛生的な温室内環境を維持することができる。
【図面の簡単な説明】
【００１８】
【図１】本発明の一実施形態に係る植栽ベッドを示す外観図である。
【図２】前記植栽ベッドの正面図である。
【図３】前記植栽ベッドのベッド本体に蓋部材を装着した状態の図２におけるＡ−Ａ線矢視断面図である。
【図４】前記植栽ベッドを多数用いて成る水耕栽培システムを示す一部断面を含む平面図である。
【図５】前記水耕栽培システムの図４におけるＢ−Ｂ線矢視断面図である。
【図６】前記水耕栽培システムの図４におけるＣ−Ｃ線矢視断面図である。
【図７】前記水耕栽培システムの栽培ユニットを示す側面構成図である。
【図８】前記水耕栽培システムの温室内の地面に敷き詰められたマット体の部分側断面図である。
【図９】前記水耕栽培システムの栽培ユニットで栽培植物をＮＦＴ方式で栽培する態様を側面から視た状態説明図である。
【図１０】本発明の別実施形態に係る植栽ベッドの蓋部材を示す図であって、（ａ）は平面図、（ｂ）は側面図である。
【図１１】図１０に示した蓋部材が栽培ユニットに用いられて取り扱われる態様を側面から視た状態説明図である。
【発明を実施するための形態】
【００１９】
本発明の実施形態を図面に基づいて説明する。尚、以下に述べる実施形態は本発明を具体化した一例に過ぎず、本発明の技術的範囲を限定するものでない。図１は本発明の一実施形態に係る植栽ベッドを示す外観図、図２は前記植栽ベッドの正面図、図３は前記植栽ベッドのベッド本体に蓋部材を装着した状態の図２におけるＡ−Ａ線矢視断面図である。
各図において、この実施形態に係る植栽ベッド１は、培養液Ｓを流すベッド本体２と、ベッド本体２の上面開口８を蓋止する蓋部材３と、から構成されている。
【００２０】
前記のベッド本体２は、底板部５の左右両側端から側板部４，４が立ち上がった例えば正面視五角形状の長尺樋状に形成されていて、その上面が上面開口８となっている。因みに、このベッド本体２は長尺方向の本体長Ｌが例えば３７７０ｍｍ程度であり、高さＴが例えば４５ｍｍ程度である。ベッド本体２の上面開口８において、対面する左右両側の縁部８Ａ，８Ａには、それぞれ、上下２条の突条部９，１０がベッド本体２の長手方向（矢印Ｄ方向）に沿って内向きに突出形成され、それらは互いに対向している。各縁部８Ａの上下の突条部９，１０の間は、蓋部材３の長辺部２１を収容して支持可能なガイド溝１１になっている。ベッド本体２の前端部は一端開口６となっており、後端部は他端開口７となっている。ベッド本体２の底板部５には、複数条の仕切条部１２，１２，１２，・・が前記長手方向に沿い上向きに突出して形成されている。これらの仕切条部１２，１２，１２，・・は、底板部５上を流れる比較的少量の培養液Ｓを左右一方に偏流させることなく、左右万遍なく流すためのものである。これにより、栽培植物Ｑの根部Ｒが左右に広がって生育した場合でも、根部Ｒが必ず培養液Ｓに浸れるようにされている。
【００２１】
前記の蓋部材３は平面視矩形の長尺平板状に形成されている。そして、蓋部材３は、一方の端面２０からベッド本体２の左右のガイド溝１１，１１に装入され、左右の長辺部２１，２１が支持されてベッド本体２の長手方向（矢印Ｄ方向）に移動自在に案内されるようになっている。蓋部材３には、栽培植物Ｑを保持する複数の植栽孔２３，２３，２３，・・・が板長手方向に適宜間隔で形成されている。植栽孔２３の内径は、栽培される栽培植物Ｑの成長に応じたものが選定され、例えば３０〜５０ｍｍ程度にされている。隣り合う植栽孔２３，２３間の配置間隔も成長に応じて設定されるが、例えば５０〜２００ｍｍ程度である。因みに、植栽孔２３，２３の配置間隔は、栽培植物Ｑが、レタスの場合は約２００ｍｍ、ホウレン草の場合は約１５０ｍｍ、ネギの場合は約１００ｍｍである。すなわち、ベッド本体２を共通構成として、蓋部材３は、栽培植物Ｑの種類と生育度合いに応じた植栽孔２３の内径および配置間隔が適宜に選定される。
【００２２】
続いて、本発明の実施形態に係る水耕栽培システム３１を図４〜図７に示す。各図において、水耕栽培システム３１は、温室３２と、温室３２内に設置された複数（例えば２０ユニット）の栽培ユニット１３，１３，１３，・・・と、培養液Ｓを貯留した複数（例えば４槽）の液槽３４（Ｉ）〜３４（ＩＶ）と、地下水Ｖをたたえた井戸７０と、培養液Ｓの原液を貯留した原液タンク７８と、各種駆動機器を駆動制御する制御装置７５と、を備えて構成されている。液槽３４および井戸７０は、温室３２内の土Ｋ中に埋設されている。
【００２３】
各栽培ユニット１３は、少なくとも例えば２０基の植栽ベッド１，１，１，・・・を載せる架台部３３と、液槽３４の培養液Ｓを植栽ベッド１のベッド本体２の一端開口６に供給する給液部３５と、ベッド本体２の他端開口７から流出した培養液Ｓを収受して液槽３４に戻す返液部３６と、井戸７０の地下水Ｖ（年平均温度＝約１５℃）を液槽３４に供給する地下水供給部３７と、地下水供給部３７により汲み上げられた地下水Ｖを例えば５０℃に加熱して液槽３４に供給する地下水加熱部３８と、を備えて構成されている。液槽３４には、培養液Ｓの液温を検出する温度検出器６１が配備されており、液槽３４内で培養液Ｓは例えば３０℃に調整されるように、井戸水Ｖと水道水の使用量比率が設定される。
【００２４】
前記の温室３２は、四隅の支柱６２，６２，６２，６２を囲むように四方の側壁部が張設されて成り、これらの上面が屋根部で被われている。温室３２における前後の側壁部には、吸排気装置６３，６３が配備されている。屋根部の左右には、換気口６４，６４が形成されており、各換気口６４は、開閉モータ６６によって駆動される開閉蓋６５により開放可能に閉止される。屋根部には、温室３２内の室温を検出する温度検出器６７と、温室３２内の湿度を検出する湿度検出器６８とが配備されている。
【００２５】
前記の架台部３３は、温室３２内で土Ｋの上面に立設された複数の柱５０，５０，５０，・・・と、左右の柱５０，５０間に架け渡された複数の梁５１，５１，５１，・・・と、前後の梁５１，５１間に前後方向（矢印Ｅ方向）に沿って架け渡された例えば円管状の２本の載置杆５２，５２と、から構成されている。左右の柱５０，５０は高さが異なっているので、各梁５１は左右に傾いて配置されている。これにより、架台部３３の載置杆５２，５２間に架け渡されて載せられた植栽ベッド１も左右に傾斜している。これら載置杆５２，５２上には、多数の植栽ベッド１，１，１，・・・が載置される。これらの植栽ベッド１，１，１，・・・は、それぞれの長手方向を温室３２内で左右方向（矢印Ｄ方向）に向けた姿勢で、前後方向（矢印Ｅ方向）に並べて配置されている（図４参照）。各々１つの栽培ユニット１３には、２０基（２０チャンネル）の植栽ベッド１，１，１，・・・が配備されている。
【００２６】
そして、５つの栽培ユニット１３，１３，１３，１３，１３が、共通の液槽３４を利用する１つのグループを構成している。この例では、４つのグループ（Ｉ）〜（ＩＶ）が例示される。栽培ユニット１３および液槽３４に付記した（Ｉ）〜（ＩＶ）は、同じグループに属していることを示している。すなわち、栽培ユニット１３は左右２列に配置されているから、この温室３２内に配備される植栽ベッド１は４００基（２０×２０）であり、前後の設置長Ｍは３０ｍ程である。この例において、グループ（Ｉ），（ＩＩ）の栽培ユニット１３では例えば幼苗（セカンド）の栽培植物Ｑが植栽され、グループ（ＩＩＩ），（ＩＶ）の栽培ユニット１３では例えば収穫前（サード）の栽培植物Ｑが植栽されているものとする。
【００２７】
前記の給液部３５は、一端が液槽３４内に配置され途中にストレーナ５５を有する吸込み管５４と、吸込み管５４の他端が連結されたポンプ５３と、一端がポンプ５３の吐出側に連結された供給管５６と、供給管５６の他端が連結された供給側カバー５７と、から構成されている。供給側カバー５７は、各植栽ベッド１のベッド本体２の一端開口６を封止するとともに上面開口８の一端側を被っている。供給管５６は、分岐部５６Ａで同じグループ内にある他の栽培ユニット１３の供給管５６とつながっている。
【００２８】
前記の返液部３６は、各ベッド本体２の他端開口７の下方に配置されていて流出した培養液Ｓを収受する受け樋５８と、一端が受け樋５８に連結され他端が液槽３４内に配置された戻し管５９と、戻し管５９の途中に配備された漉し器６０と、から構成されている。戻し管５９は、同じグループ内にある他の栽培ユニット１３の戻し管５９と合流部５９Ａでつながっている。
【００２９】
前記の地下水供給部３７は、一端が井戸７０内に配置され途中にストレーナ７２を有する吸込み管７１と、吸込み管７１の他端が連結されたポンプ７３と、一端がポンプ７３の吐出側に連結され他端が液槽３４内に配置された吐出管７４と、吐出管７４の途中に配備された温度検出器７６と、から構成されている。
【００３０】
前記の地下水加熱部３８は地下水供給部３７の吐出管７４の途中に配備されていて、温度制御が容易な例えば電気ヒータで構成されている。但し、本発明の地下水加熱部としては、前記の電気ヒータに替えて、例えば石油バーナや石炭バーナなどで構成しても構わない。
そして、温室３２内には、一般廃油を燃焼させて二酸化炭素を室内に供給する炭酸ガス発生装置８１も配備されている。この炭酸ガス発生装置８１は、一般の廃油を燃料として燃やすことにより二酸化炭素を発生させて温室３２内に供給する。廃油を燃料にしているから、この炭酸ガス発生装置８１はエネルギーコストが安くつき、資源の有効利用に寄与する。
また、温室３２には制御装置７５が配備されている。この制御装置７５は、それぞれ汎用のＣＰＵ、メモリ、クロック、データバス、入力ポートおよび出力ポートを有して成る、例えばマイクロコンピュータで構成されている。
【００３１】
更に、前記の液槽３４に対しては、一端が原液タンク７８に連結されていて途中に開閉弁８０を有する供給管７９の他端が配置され、途中に開閉弁７７を有する水道管６９の先端が配置されている。原液タンク７８は液槽３４内で希釈調製される培養液Ｓの原液を貯留している。
【００３２】
一方で、温室３２内の土Ｋの上面全体はマット体４１で洩れなく蔽われている。このマット体４１は、図８に示すように、圧縮して形成されたフェルト状不織体４３が可撓シート体４２の上面に積層され接着層４４で固着されて層状に形成されている。可撓シート体４２は、例えばポリプロピレンなどの不透水性合成樹脂で構成されている。また、フェルト状不織体４３は、例えばニードルパンチ不織布などを原料として構成されている。このマット体４１の厚さｔは、例えば１．５〜３ｍｍ程度である。接着層４４は、例えば可撓性を有する接着剤で構成されていてもよいし、高周波ミシンによる熱溶着層その他であっても構わない。
【００３３】
因みに、温室内の土Ｋがむき出しの場合は、土Ｋから上がってくる湿気で温室内湿度が高くなりやすい。例えば、相対湿度が７５％〜８０％に達した場合は栽培植物特に野菜の生育を妨げるおそれがある。他方で、フェルト材のみであれば、フェルト材上に落ちた水は土Ｋに染み込むので、温室３２内の相対湿度を下げようとしたときに、温室３２内の水分のみならず、土Ｋに浸み込んでいる水分までも乾燥させなければならないので、多大な乾燥用エネルギーと時間を必要とする。
【００３４】
上記のように構成された植栽ベッド１および水耕栽培システム３１の作用を次に説明する。
まず、培養液Ｓは、液槽３４において、原液タンク７８からの培養液原液、地下水加熱部３８により５０℃に加熱された吐出管７４からの地下水Ｖ、水道管６９から水道水、および、返液部３６の戻し管５９から戻る使用後の培養液Ｓが、それぞれ適量混合されることにより、肥料成分が所定濃度であり且つ液温が３０℃となるように調製される。この培養液Ｓは肥料、養液および副材料などで構成されている。
この場合、ポンプ５３による培養液Ｓの植栽ベッド１への給水量、地下水加熱部３８出側の地下水Ｖの水温、ポンプ７３による地下水Ｖの液槽３４への給水量、液槽３４内での培養液Ｓの液温は、制御装置７５の制御プログラムに基づいて制御される。そして、制御装置７５は、温室３２内と室外の検出温度および検出湿度に基づいて、炭酸ガス発生装置８１、開閉蓋６５の開閉モータ６６、または吸排気装置６３を駆動制御する。これにより、温室３２内が、相対湿度７０％程度および室温２５℃程度に維持され、二酸化炭素濃度も高められる。
【００３５】
続いて、前記の培養液Ｓは、給液部３５のポンプ５３により汲み上げられて供給管５６および供給側カバー５７から植栽ベッド１の一端側に供給される。植栽ベッド１に供給された少量の培養液Ｓは、ベッド本体２の底板部５上を流下し、植栽孔２３に保持されている栽培植物Ｑの根部Ｒに養分および水分を供給する。その後、ベッド本体２の末端側から流出した培養液Ｓは、返液部３６の受け樋５８で収受され戻し管５９および漉し器６０を経て液槽３４に戻される。漉し器６０は培養液Ｓ中の比較的大きな夾雑物を捕捉する。
【００３６】
そうして、或るグループの栽培ユニット１３（例えば（ＩＩＩ）および（ＩＶ））で栽培されていた栽培植物Ｑが生長して収穫期に達すると、端部側にいる作業者によって、そのグループの植栽ベッド１，１，１，・・・の蓋部材３，３，３，・・・がベッド本体２，２，２，・・・から引き出され、栽培植物Ｑがひとつずつ植栽孔２３から抜き取られて収穫される。蓋部材３が抜き出されたベッド本体２は、開かれた上面開口８から雑巾やブラシなどが挿し込まれて内面が容易に洗浄され、抜き出された蓋部材３もその上下面が容易に払拭されて清浄にされる。これらのベッド本体２，２，２，・・・には、次の幼苗の栽培に備えて、植栽孔２３の内径および配置間隔が小さな別の蓋部材３，３，３，・・・が装着される。
【００３７】
因みに、栽培植物Ｑの生育状態によって培養液Ｓにおける肥料成分の必要濃度は異なるが、グループ（Ｉ）〜（ＩＶ）毎に異なる液槽３４（Ｉ）〜３４（ＩＶ）が専用されるので、各グループの液槽３４（Ｉ）〜３４（ＩＶ）毎に培養液Ｓにおける肥料成分の濃度を適正に変えることができる。また、或るグループに属する栽培ユニット１３で栽培されていた栽培植物Ｑが伝染性の病気に感染した場合でも、当該或るグループの栽培ユニット１３における培養液Ｓの循環経路は、それ以外のグループに属する栽培ユニット１３から独立しているので、それ以外のグループの栽培ユニット１３に病原菌やウィルスが伝染することを回避できる。
【００３８】
以上のように、この実施形態の水耕栽培システム３１によれば、液槽３４と植栽ベッド１との間で培養液Ｓを循環式に供給、回収して、植栽ベッド１の栽培植物Ｑを効率良く安価に生育させることができ、栽培植物Ｑの生長後は植栽ベッド１の蓋部材３をベッド本体２に対して移動させることにより、成長した栽培植物Ｑを作業効率よく収穫できるという効果を奏する。
【００３９】
また、水耕栽培システム３１は、加熱された地下水Ｖを含む培養液Ｓが調製されるので、１年中を通して水温が１５℃程度と変わらない地下水Ｖを地下水供給部３７が汲み上げ、これを地下水加熱部３８が例えば５０℃程度に加熱し、加熱した地下水Ｖを地下水供給部３７が液槽３４に供給して、例えば肥料成分、養液および副材料などとともに混合して例えば３０℃程度の培養液Ｓを調製するので、安価な水材料と安価な熱エネルギーを用いて、栽培植物Ｑをより安価で効率良く生育させることができる。
【００４０】
そして、温室３２内の土Ｋの表面全体はマット体４１で蔽われているので、土Ｋから上がってくる湿気が下層の不透水性の可撓シート体４２で遮断されて温室３２内に入り込まない。従って、温室３２内の相対湿度の異常上昇を防止でき、高湿度雰囲気による栽培植物生育に対する悪影響を防ぐことができる。加えて、上層のフェルト状不織体４２は、植栽ベッド１から垂れ落ちた培養液Ｓの水分を効率よく蒸発させて素早く乾かすので、雑草、虫、カビあるいは病気の発生が妨げられ、衛生的な温室内環境を維持することができる。
【００４１】
更には、温室３２内に炭酸ガスを供給する炭酸ガス発生装置８１が水耕栽培システム３１に配備されているので、特に冬場において閉め切った温室３２内では二酸化炭素が不足がちになるが、前記のような炭酸ガス発生装置８１を用いることにより、必要な二酸化炭素を補給して栽培植物Ｑの生育を促進させることができる。加えて、廃油燃焼時に生じた熱エネルギーを、温室３２内の昇温および培養液Ｓの加温に２次利用できるので、これらによっても栽培植物Ｑの生育を図りつつエネルギーの無駄を生じさせることがない。
【００４２】
また、植栽ベッド１は、蓋部材３がベッド本体２に移動自在に支持されているので、植栽孔２３，２３，２３，・・・に保持されている多数の栽培植物Ｑ，Ｑ，Ｑ，Ｑ・・・が成長したのちは、植栽ベッド１の末端側に立っている作業者が蓋部材３をベッド本体２に対し長手方向に移動させることにより、その位置に居ながらにして、生長した個々の栽培植物Ｑを植栽ベッド１から順次収穫していくことができる。このとき、ベッド本体２の末端側近傍において蓋部材３をガイド溝１１に装着した状態で、栽培植物Ｑを植栽孔２３から上向きに引き抜くようにしても、蓋部材３は上側の突条部９に抑えつけられているから脱落することがなく、栽培植物Ｑの抜き取り作業を確実かつ容易に行なうことができる。このようにして、栽培植物Ｑの収穫を極めて効率よく行なえ、栽培植物Ｑの栽培回転率を格段に高めることができる。このように、年中を通して生産性の向上化が図れたことにより、１年に２４毛作に近い栽培を実現できたのである。因みに、現状のＮＦＴ式水耕栽培では１７毛作までが限界である。
【００４３】
そして、ベッド本体２における上面開口両縁部８Ａ，８Ａの上下２条の突条部９，１０の間がガイド溝１１になっているので、蓋部材３をガイド溝１１に沿う方向にのみ、すなわち本体長手方向にのみ移動させ得る。加えて、栽培植物Ｑの成長により栽培植物Ｑの根部Ｒが生長しても、上側の突条部９により蓋部材３が抑えつけられるので、生長した根部Ｒが栽培植物Ｑを押し上げることに起因して蓋部材３がベッド本体２から浮き上がり、これによって上面開口８が開放されたり蓋部材３が上方に抜脱したりするという、不具合が回避される。また、蓋部材３をベッド本体２から取り外せば、ベッド本体２の内部を上面開口８から簡単に洗浄することができる。取り外した蓋部材３も上下両面を布などで拭くなどすることにより、簡単かつ容易に洗浄できる。
【００４４】
尚、上記の実施形態では、蓋部材として、長尺１枚物の蓋部材３を例示したが、本発明はそれに限定されるものでない。例えば、図１０に示す蓋部材３ａのように、移動方向（矢印Ｄ方向）に分割された複数の板ユニット３Ａ，３Ａ，３Ａ，・・を備えて成るものでも構わない。この蓋部材３ａにおいて、隣り合う板ユニット３Ａ，３Ａがヒンジ部２４，２４，・・を介して移動方向に折畳み可能に連結されている。各ヒンジ部２４は、隣り合う板ユニット３Ａ，３Ａの端部に形成された穴部２５，２５と、これらの穴部２５，２５に通されて板ユニット３Ａ，３Ａを連結するリング部材２６と、から構成されている。
【００４５】
そして、この蓋部材３ａと既述のベッド本体２とを用いる植栽ベッドでは、植栽ベッド１の末端側で栽培植物Ｑの収穫を終えたのち、蓋部材３をベッド本体２の末端から矢印Ｄ１方向に抜き出すときに、図１１に示すように、各板ユニット３Ａはヒンジ部２４の位置で曲げられてコンパクトに折り畳まれる。このように、蓋部材３ａは取り出しスペースとして広いスペースを取らないので、狭いスペースを確保せざるを得ない温室３２内であっても、十分に蓋部材３ａを活用して、楽に栽培植物Ｑの収穫ができる。尚、前記では、穴部２５とリング部材２６とから成るヒンジ部２４を例示したが、本発明はそれに限らず、例えば汎用の蝶番や合成樹脂薄肉部などを適用することも可能である。
【００４６】
そして、本発明は、上記した実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００４７】
１  植栽ベッド
２  ベッド本体
３，３ａ  蓋部材
３Ａ  板ユニット
６  一端開口
７  他端開口
８  上面開口
８Ａ  縁部
９，１０  突条部
１１  ガイド溝
２３  植栽孔
２４  ヒンジ部
３１  水耕栽培システム
３２  温室
３３  架台部
３４  液槽
３５  給液部
３６  返液部
３７  地下水供給部
３８  地下水加熱部
４１  マット体
４２  可撓シート体
４３  フェルト状不織体
５２  載置杆
７０  井戸
７５  制御装置
８１  炭酸ガス発生装置
Ｄ，Ｄ１  矢印
Ｋ  土
Ｒ  根部
Ｓ  培養液
Ｑ  栽培植物
Ｖ  地下水
【図１】
2017112894.tif 000003
【図２】
2017112894.tif 000004
【図３】
2017112894.tif 000005
【図４】
2017112894.tif 000006
【図５】
2017112894.tif 000007
【図６】
2017112894.tif 000008
【図７】
2017112894.tif 000009
【図８】
2017112894.tif 000010
【図９】
2017112894.tif 000011
【図１０】
2017112894.tif 000012
【図１１】
2017112894.tif 000013